(57)【要約】【課題】簡単な構成で棚板の傾斜角度の微調整ができるようにした棚板の支持構造を提供する。【解決手段】  左右に立設した支柱２の前面２ａに列設した係止孔１に、支持ブラケット４の後端部に形成されたフック１０を係止し、この支持ブラケット４により棚板５を支持するようにしてなる棚板の支持構造において、前記支持ブラケット４の後端縁下部に、支柱２の前面２ａに向けて突出量を段階的に変化させうる調整部材１１を設け、この調整部材１１における突出部先端を支柱２の前面２ａに当接させることにより支持ブラケット４、およびそれにより支持される棚板５の傾斜角度を調整可能とする。【選択図】  図６
2006087794.tif 000002
【特許請求の範囲】
【請求項１】
左右に立設した支柱の前面に列設した係止孔に、支持ブラケットの後端部に形成されたフックを係止し、この支持ブラケットにより棚板を支持するようにしてなる棚板の支持構造において、
前記支持ブラケットの後端縁下部に、支柱の前面に向けて突出量を段階的に変化させうる調整部材を設け、この調整部材における突出部先端を支柱の前面に当接させることにより支持ブラケット、およびそれにより支持される棚板の傾斜角度を調整可能としたことを特徴とする棚板の支持構造。
【請求項２】
調整部材を、支持ブラケットの後端縁下部に角度調整部材を回転可能に装着し、この角度調整部材を回転させることにより、支持ブラケットの後端縁と支柱の前面との間の距離を変化させて、支持ブラケットの支柱に対する傾斜角度を調整するようにしたことを特徴とする請求項１記載の棚板の支持構造。
【請求項３】
角度調整部材を、支持ブラケットに回転可能に支持される支軸に、前記支軸からの距離が異なるように外周に多角形状に形成された複数の当接部を有する当接片を固着して構成し、前記当接部を支柱の前面に当接させるとともに、支柱の前面に当接する当接部を変更することにより、支持ブラケットの支柱に対する傾斜角度を調整するようにしたことを特徴とする請求項２記載の棚板の支持構造。
【請求項４】
支持ブラケットの後端縁下部に、支柱の前面からの距離が異なる係合凹部を段階的に形成し、角度調整部材を、前記係合凹部に回転可能に支持される支軸に、支柱の前面に当接される当接片を固着して構成し、前記支軸を係合させる係合凹部を変更することにより、支持ブラケットの支柱に対する傾斜角度を調整するようにしたことを特徴とする請求項２記載の棚板の支持構造。
【請求項５】
角度調整部材に、前記当接片を回転操作する操作部を設けたことを特徴とする請求項２〜４のいずれかに記載の棚板の支持構造。
【請求項６】
角度調整部材の支軸を、支持ブラケットの後端縁下部に形成した後方に開口する溝を介して前記支持ブラケットに着脱自在に装着したことを特徴とする請求項２〜５のいずれかに記載の棚板の支持構造。
【発明の詳細な説明】
【技術分野】
【０００１】
本発明は、商品陳列棚等において、棚板の水平面に対する傾斜角度の微調整を可能とした支持構造に関する。
【背景技術】
【０００２】
従来、商品陳列棚等において、棚板を前下がりに傾斜させて、商品を顧客が見やすいように陳列するようにしたものがあり、また、棚板の傾斜角度を調整しうるようにしたものも提案されている。
例えば、棚板の支持ブラケットに形成した内向歯車孔と外歯円盤とを噛み合せて取付基板に締め付け、この噛み合せ位置を変えることにより、傾斜角度を調整するようにした棚板支持構造がある（例えば、特許文献１参照）。
また、取付基板の側面に多数の突起を円環状に配設し、この突起に支持ブラケットに形成した円環状の凹孔に嵌合させ、この嵌合位置を変えることにより、傾斜角度を調整するようにした棚板支持構造もある（例えば、特許文献２参照）。
【０００３】
【特許文献１】実公昭６０−６２７３号公報
【特許文献２】実公平３−２１６２８号公報
【発明の開示】
【発明が解決しようとする課題】
【０００４】
しかし、特許文献１に記載されている棚板の支持構造では、取付基板、外歯円板、締付けナット、ワッシャ等、多くの部品が必要であり、かつ歯車加工する必要があるため、コストが高くなるという問題がある。
また、特許文献２に記載されている棚板の支持構造も、同様に、部品点数が多くなるとともに、多数の突起および凹孔を加工する必要があるため、コストが高くなるという問題がある。
【０００５】
一方、この種の商品陳列棚において、前方下向きに傾斜させた棚板上に、缶ビールやペットボトルの商品を並べて載置し、最前部の商品を取り出すと、後部の商品群が前方に滑動するようにしたスライド式ものが知られている。このようなスライド式の商品陳列棚においては、商品によって滑りやすさに違いがあるため、滑動の強弱を調整する必要が出てくる。このような滑動の調整では、例えば、傾斜角度大きくし過ぎると滑動速度が大きくなり、商品に衝撃を与えることになるため、傾斜角度調整は、１度単位程度の微調整とする必要がある。
【０００６】
一般に、棚板の傾斜角度を調整可能とする従来の技術は、専ら陳列する商品の見栄えを最良にするためであり、特許文献１および２も、このような技術に関するものであって、角度調整範囲は比較的大きい反面、例えば、１度単位程度のような微調整は困難である。
【０００７】
本発明は、従来の技術が有する上記のような問題点に鑑み、簡単な構成で、棚板の傾斜角度の微調整ができるようにした棚板の支持構造を提供することを目的としている。
【課題を解決するための手段】
【０００８】
本発明によると、上記課題は、特許請求の範囲における各請求項に示すように、下記の構成を備える発明によって解決される。
(１)左右に立設した支柱の前面に列設した係止孔に、支持ブラケットの後端部に形成されたフックを係止し、この支持ブラケットにより棚板を支持するようにしてなる棚板の支持構造において、前記支持ブラケットの後端縁下部に、支柱の前面に向けて突出量を段階的に変化させうる調整部材を設け、この調整部材における突出部先端を支柱の前面に当接させることにより支持ブラケット、およびそれにより支持される棚板の傾斜角度を調整可能とする。
【０００９】
(２)上記(１)項において、調整部材を、支持ブラケットの後端縁下部に角度調整部材を回転可能に装着し、この角度調整部材を回転させることにより、支持ブラケットの後端縁と支柱の前面との間の距離を変化させて、支持ブラケットの支柱に対する傾斜角度を調整するようにする。
【００１０】
(３)上記(２)項において、角度調整部材を、支持ブラケットに回転可能に支持される支軸に、前記支軸からの距離が異なるように外周に多角形状に形成された複数の当接部を有する当接片を固着して構成し、前記当接部を支柱の前面に当接させるとともに、支柱の前面に当接する当接部を変更することにより、支持ブラケットの支柱に対する傾斜角度を調整するようにする。
【００１１】
(４)上記(２)項において、支持ブラケットの後端縁下部に、支柱の前面からの距離が異なる係合凹部を段階的に形成し、角度調整部材を、前記係合凹部に回転可能に支持される支軸に、支柱の前面に当接される当接片を固着して構成し、前記支軸を係合させる係合凹部を変更することにより、支持ブラケットの支柱に対する傾斜角度を調整するようにする。
【００１２】
(５)上記(２)〜(４)項のいずれかにおいて、角度調整部材に、前記当接片を回転操作する操作部を設ける。
【００１３】
(６)上記(２)〜(５)項のいずれかにおいて、角度調整部材の支軸を、支持ブラケットの後端縁下部に形成した後方に開口する溝を介して前記支持ブラケットに着脱自在に装着する。
【発明の効果】
【００１４】
本発明によると、次のような効果が奏せられる。
請求項１記載の発明によると、突出量を段階的に変化させるという比較的簡単な構造をもって、その変化量の幅に応じて棚板の傾斜角度を微調整することができる。
【００１５】
請求項２記載の発明によると、角度調整部材の回動操作により、支持ブラケットとともに棚板の傾斜角度を微調整することができるので、商品の種類により、最適の滑動が得られるように設定することができる。
【００１６】
請求項３記載の発明によると、角度調整部材を、支軸からの距離が異なるように、外周に多角形状に当接部を形成した構造とすることにより、構造が簡単で、かつ回動操作により支軸の位置は変動しないので、支持ブラケットに支軸を保持する単純な溝を形成するだけでよく、支持ブラケットの加工が簡単である。
【００１７】
請求項４記載の発明によると、支持ブラケットの後端部に、支柱の前面からの距離が異なる係合凹部を段階的に形成し、これに角度調整部材を係合させるので、角度調整部材の当接片は単純な方形でよく、角度調整部材の構造が簡単になる。
【００１８】
請求項５記載の発明によると、回転操作軸により角度調整部材の回動操作が容易になる。
【００１９】
請求項６記載の発明によると、角度調整部材が、支持ブラケットから着脱自在であるため、損傷したとき等に簡単に交換することができる。
【発明を実施するための最良の形態】
【００２０】
以下、本発明の棚板の支持構造の実施形態を、図面を参照して説明する。
図１は、本発明の棚板の支持構造を備える商品陳列棚の部分斜視図、図２は、図１に示す商品陳列棚の側面図である。
図１に示すように、商品陳列棚(100)は、左右に立設され、前面に縦向きに係止孔(１)が列設された支柱(２)(２)と、これらの支柱(２)(２)を連結する背面パネル(３)と、係止孔(１)に係止された左右１対の支持ブラケット(４)(４)と、これらの支持ブラケット(４)(４)上に取り付けられた棚板(５)とを備えている。棚板(５)の前端縁には、落下防止板(６)が取り付けられ、棚板(５)上に載置した缶ビール等の商品(７)をせき止めて落下を防止するようになっている。棚板(５)の上面の左右両端には、側板(８)(８)が取り付けられ、これら側板(８)(８)間には、多数の仕切板(９)が設けられている。各仕切板(９)の間に、複数の商品(７)が１列に並べられて棚板(５)上に滑動可能に載置されている。
【００２１】
支持ブラケット(４)の後端には、４個のフック(10)が上下に間隔をおいて形成されており、これらのフック(10)を支柱(２)の係止孔(１)に係止することにより、支持ブラケット(４)を支柱(２)の前面(2a)に当接させた状態で支持させている。本発明は、角度調整部材(11)を用いて支持ブラケット(４)の傾斜角度を調整することにより、この支持ブラケット(４)により支持した棚板(５)の傾斜角度を微調整可能にしたものである。
【００２２】
図３、図４は、それぞれ角度調整部材(11)の拡大した分解斜視図、正面図、図５は支持ブラケット(４)および角度調整部材(11)の拡大斜視図である。
図３に示すように、角度調整部材(11)は、外形が同一の１対の当接片(12a)(12b)を有し、一方の当接片(12a)には、表面に十字孔(14a)付きの操作軸(14)、裏面に支軸(13)がそれぞれ固着され、この支軸(13)を他方の当接片(12b)の固定孔(15)に、かしめ等により固定することにより、図５に示すように、両当接片(12a)(12b)が支持ブラケット(４)の板厚より僅かに広い間隔をもって固定された角度調整部材(11)が構成されている。
なお、固定孔(15)の周縁には、図３に示すように、切欠部(15a)(15b)が設けられており、支軸(13)を固定孔(15)に、かしめ等により嵌入させた際に、支軸(13)の周面の一部が前記切欠部(15a)(15b)に喰い込み回転が防止されるようになっている。
【００２３】
図４に示すように、当接片(12a)(12b)は、外周に、支軸(14)の軸中心(14b)（回転中心）からの距離ａ，ｂ，ｃが異なる、平坦な形状の第１〜第３当接部(16)(17)(18)を有する。すなわち、支軸(14)の軸中心(14b)に対する距離ａが最小の第１当接部(16)と、第１当接部(16)より僅かに距離ｂが大きい第２当接部(17)と、距離ｃが最大の第３当接部(18)とが多角形の各辺をなすように形成され、第１当接部(16)と第３当接部(18)が円弧部(19)により連接されて、ほぼ扇形状をなしている。
【００２４】
支持ブラケット(４)の後端縁下部には、後方に開口する溝(20)が形成されている。角度調整部材(11)の両当接片(12a)(12b)で支持ブラケット(４)の後端縁下部を挟み、溝(20)に支軸(13)を嵌合させることにより、図５に示すように、角度調整部材(11)が支持ブラケット(４)に回転可能に取り付けられるようになっている。
【００２５】
図６は、角度調整部材(11)により支持ブラケット(４)の傾斜角度を変化させた状態を支柱(２)を破断して示す側面図である。
図６（ａ）は、角度調整部材(11)の第１当接部(16)が支柱(２)の前面(2a)に当接した状態の図であり、支持ブラケット(４)は、上部のフック(10a)と支柱(２)との係合部分が支点となり、支持ブラケット(４)に働くモーメントを第１当接部(16)と支柱(２)の前面(2a)との当接により受止めた状態となっている。支持ブラケット(４)の傾斜角度は最も小さく、支持ブラケット(４)の支柱(２)に対する傾斜角度を９９度に設定してある。
【００２６】
図６（ｂ）は、角度調整部材(11)の第２当接部(17)が支柱(２)の前面(2a)に当接した状態の図である。支持ブラケット(４)の傾斜角度は中位であり、支持ブラケット(４)の支柱(２)に対する傾斜角度を９８度に設定してある。なお、角度調整部材(11)の設定変更は、操作部である十字孔(14a)をドライバ等で操作することにより行うことができる。
【００２７】
図６（ｃ）は、角度調整部材(11)の第３当接部(18)が支柱(２)の前面(2a)に当接した状態の図である。支持ブラケット(４)の傾斜角度は最も大きく、支持ブラケット(４)の支柱(２)に対する傾斜角度を９７度に設定してある。
【００２８】
図７〜図９は、本発明の棚板の支持構造の第２実施形態を示し、図７は角度調整部材(21)の拡大斜視図、図８は支持ブラケット(22)および角度調整部材(21)の拡大側面図である。
図７において、角度調整部材(21)は、１対の長方形状の当接片(23a)(23b)が支軸(24)により連結されて形成されている。当接片(23a)の表面に露出する支軸(24)の端部には、ドライバ等で操作するための十字孔(24a)が設けられている。
【００２９】
図８において、支持ブラケット(22)には、後端縁下部に、後方に開口する開口部(25a)を備え、下方に落ち込む溝(25)が形成され、かつ、この溝(25)の前面に第１係合凹部(26)、第２係合凹部(27)、および第３係合凹部(28)が、下方に向けて順次、支持ブラケット(４)の後端縁から遠くなるように、３段階に形成されている。角度調整部材(21)は、その支軸(24)を、ブラケット(22)の後端縁の開口部(25a)から溝(25)内に挿入し、係合凹部(26)(27)(28)のいずれかに係合させることにより、支持ブラケット(22)の傾斜角度を調整することにより、この支持ブラケット(22)により支持した棚板（図示省略）の傾斜角度を微調整することができる。
【００３０】
図９は、角度調整部材(21)により支持ブラケット(22)の傾斜角度を変化させた状態を支柱(29)を破断して示す側面図である。
図９（ａ）は、角度調整部材(21)の第３係合凹部(28)に支軸(24)が係合した状態の図であり、支持ブラケット(22)の傾斜角度が最も大きく、支持ブラケット(22)の支柱(29)に対する傾斜角度を１００度に設定してある。
【００３１】
図９（ｂ）は、角度調整部材(21)の第２係合凹部(27)に支軸(24)が係合した状態の図である。支持ブラケット(22)の傾斜角度は中位であり、支持ブラケット(22)の支柱(29)に対する傾斜角度を９９度に設定してある。なお、角度調整部材(21)の設定変更は、十字孔(24a)をドライバ等で操作することにより、行うことができる。
【００３２】
図９（ｃ）は、角度調整部材(21)の第１係合凹部(26)に支軸(24)が係合した状態の図である。支持ブラケット(22)の傾斜角度は最も小さく、支持ブラケット(22)の支柱(29)に対する傾斜角度を９８度に設定してある。
【００３３】
以上のように、本発明によると、第１実施形態および第２実施形態に示したように、角度調整部材(11)(21)を回動操作することにより、支持ブラケット(４)(22)の傾斜角度を調整し、これにより棚板(５)の傾斜角度を微調整することができる。そのため商品の種類により、最適の滑動が行われうるように、棚板(５)の傾斜角度を設定することができる。
【図面の簡単な説明】
【００３４】
【図１】本発明の棚板の支持構造を備える商品陳列棚の部分斜視図である。
【図２】図１に示す商品陳列棚の側面図である。
【図３】第１実施形態の角度調整部材の拡大分解斜視図である。
【図４】同じく角度調整部材の拡大正面図である。
【図５】支持ブラケットおよび角度調整部材の拡大斜視図である。
【図６】角度調整部材により支持ブラケットの傾斜角度を変化させた状態を支柱を破断して示す側面図である。
【図７】第２実施形態の角度調整部材の拡大斜視図である。
【図８】支持ブラケットおよび角度調整部材の拡大側面図である。
【図９】角度調整部材により支持ブラケットの傾斜角度を変化させた状態を支柱を破断して示す側面図である。
【符号の説明】
【００３５】
(100)商品陳列棚
(１)係止孔
(２)支柱
(2a)前面
(３)背面パネル
(４)支持ブラケット
(５)棚板
(６)落下防止板
(７)商品
(８)側板
(９)仕切板
(10)フック
(11)角度調整部材 
(12a)(12b)当接片
(13)支軸
(14)操作軸
(14a)十字孔
(14b)軸中心
(15)固定孔
(16)第１当接部
(17)第２当接部
(18)第３当接部
(19)円弧部
(20)溝
(21)角度調整部材
(22)ブラケット
(23a)(23b) 当接片
(24)支軸
(24a)十字孔
(25)溝
(25a)開口部
(26)第１係合凹部
(27)第２係合凹部
(28)第３係合凹部
(29)支柱
【図１】
2006087794.tif 000003
【図２】
2006087794.tif 000004
【図３】
2006087794.tif 000005
【図４】
2006087794.tif 000006
【図５】
2006087794.tif 000007
【図６】
2006087794.tif 000008
【図７】
2006087794.tif 000009
【図８】
2006087794.tif 000010
【図９】
2006087794.tif 000011